(57)【要約】【目的】既製の駒に貼装シートを着脱可能に貼装する事で、覚えたてで駒の動かし方に不安が有る場合には貼装シートを貼り付けたままで用い、しかる後駒の動かし方を習得した場合においては貼装シートを剥がして用いることで、また既成の駒として用いることが出来る貼装シートの提供すること。【構成】塩化ビニールシート等の基材を用いて将棋の駒の形に造形させた貼装シート本体であって、その表面には駒の進め方を示す図形ａｎｄ／ｏｒ該当する駒の名称を表示し、その裏面には貼着剤を塗布し、該貼装シート本体はその裏面を将棋の駒の表面に貼装するようになしてなる。【選択図】  図１
2005021378.tif 000002
【特許請求の範囲】
【請求項１】
透明あるいは半透明の樹脂のような柔軟性ある薄膜基材を用い、かつ略表面形状が将棋の駒と同等の形状を有する貼装シート本体であって、表面に夫々の将棋の駒の名称と、その駒の進める方向の表示をなし、その裏面には感圧性接着剤を塗布したもので、
使用時は、上記駒の表面にシート本体を貼装できるようにした将棋の駒に貼装する貼装シート。
【請求項２】
透明あるいは半透明のような柔軟性ある薄膜基材を用い、かつ略表面形状が将棋の駒と同等の形状を有する貼装シート本体であって、
表面に夫々の将棋の駒の名称と、その駒の進める方向の表示をなし、その裏面には感圧性接着剤を塗布したもので、使用時は上記駒の表面にシート本体を貼装できるようになしかつ、
上記貼装シート本体と同等の基材で造られ、王将及び金将を除く将棋の裏面にある駒の名称とその駒の進める方向の表示をなし、その裏面には感圧性接着剤を塗布した副シート本体を貼装できるようになしかつ、使用時は上記駒の裏面に係る副シート本体を貼装できるように、した将棋の駒に貼装する貼装シート。
【発明の詳細な説明】
【０００１】
【発明の属する技術分野】
本発明は、将棋を始めたばかりの初心者や子供にも将棋の駒の正しい駒の進め方が解るようにした貼装シートに関する。
【０００２】
【従来の技術】
大衆の娯楽の一つとして知られる将棋は、老若男女問わず幅広い年齢層に亘って古くから愛されて続けている。しかしながら将棋の駒は全部で８種類合計２０枚（先手後手で合計４０枚）あり、その将棋の駒の進め方は、図５でも示したとおり、歩兵（ふ）は前に１つだけ進めるが戻れない、また香車（きょうしゃ）は前に好きなだけ進めるが戻れない、桂馬（けいま）は二マス先の右か左に進めるが戻れない、銀将（ぎん）は前及びその左右の３カ所と後ろに左右の２カ所に進める、金将（きん）は前及びその左右の３カ所、左右横２カ所に後ろ１カ所に進める、角将（かく）は左右斜めならどこまででも進める、飛車（ひしゃ）は縦、横どこまでも進める、玉将（ぎょく）は前後左右斜めの一つだけ進めると言ったようにそれぞれの駒で全て異なり、また王将，金将を除く他の全ての駒が所謂成り駒になると、仮令えば金と同じ動き方（成金）となったり、飛車にあっては龍（りゅう）へと成り上がり玉＋飛の働きをしたり、角将にあっては馬（うま）へと成り上がり玉＋角の働きをするようになったとそれぞれ駒の進め方が変わるため、将棋を始めたばかりの初心者や子供にとっては将棋の駒の正しい進め方が解りにくい問題があった。
【０００３】
実開平３−１０７９８１号，実開平１−９５９８０号，実開平５−９１７６５号，実開平７−６２２１号，実用新案登録第３０７０９５３号のような発明，このため仮令えば駒に動かし方を記載したり、或いは駒の動かし方を示したシールを添装する考案が案出されている。（仮令えば特許庁文献１参照）しかし従来のものはどうも駒の正しい駒の進め方が解りにく上に、これらの発明，考案は特別な駒を用いて駒の正しい動かし方を指導するものが主流で、既存の将棋の駒を用いて簡単に正しい駒の進め方を理解するには不向きであった。
【特許文献１】
実用新案登録第５０７０９５３号（要約）
【０００４】
【発明が解決しようとする課題】
本発明はこれらの欠点を除くためになされたものであり、将棋を始めたばかりの初心者や子供に将棋の駒の進行方向を簡単に覚えてもらうため、既製の駒に貼装シート本体を着脱可能に貼装する事で、覚えたてで駒の動かし方に不安が有る場合には貼装シート本体を貼り付けたままで用い、しかる後駒の動かし方を習得した場合においては貼装シート本体を剥がして用いることで、また既成の駒として用いることが出来る貼装シートの提供を目的としたものである。
【０００５】
【課題を解決するための手段】
而して本発明の特徴は、塩化ビニールシート等の基材を用いて将棋の駒の形に造形させた貼装シート本体であって、その表面には駒の進め方を示す図形ａｎｄ／ｏｒ該当する駒の名称を表示し、その裏面には貼着剤を塗布し、該貼装シート本体はその裏面を将棋の駒の表面に貼装するようになしてなし、必要に応じて該貼装シート本体は着脱可能としたことである。
【０００６】
本発明の他の特徴は、塩化ビニールシート等の基材を用いて将棋の駒の形に造形させた貼装シート本体であって、その表面には駒の進め方を示す図形ａｎｄ／ｏｒ該当する駒の名称を表示し、その裏面には貼着剤を塗布し、該貼装シート本体はその裏面を将棋の構成する駒の内、王将，金将を除く全て駒の裏面に貼装するようになしてなし、必要に応じて該貼装シート本体は着脱可能としたことである。
【０００７】
その他本発明には他の目的，秀れた構成上の特徴，秀れた作用効果があるが以下の実施例でこれらを明らかにする。
【０００８】
【発明の実施の形態】
以下、図面に従って本発明の実施例を説明する。
【０００９】
図２及び図３は本発明に係る貼装シート本体（１）及び既成の将棋の駒（２）の相関関係を示す図であり、図２は自陣にある時の駒（２）の相関関係を、図３は相手陣地に入って成り駒に成った時の場合の駒（３）の相関関係を図示した。ここで言う駒は既成で発売されている極ありふれたものであれば何でもよく、その一例として仮令えば木製，プラスチック製などが挙げられるが、勿論これに限った訳ではなく、その他の材質を用いたものでも、或いは自作したものでも何ら問題はない。もちろん大きさや駒の厚さにも限定は無い。
【００１０】
貼装シート本体（１）の基材はここでは塩化ビニールシートを想定し、無色透明か或いはそれに近いものを用いることが好ましい。勿論その基材はこれに限った訳ではなく、本発明を実施できるものであれば何ら問題はない。そして貼装シート本体（１）は予め駒の大きさに併せて造形させておくことが好ましい。
【００１１】
貼装シート本体（１）の表面には駒の進め方を示す図形ａｎｄ／ｏｒ該当する駒の名称が表示されている。仮令えば図２のように飛車は成る前は縦横どこにでも進めるが、そのことを示すために予め図示したように駒を動かすことが出来る方向を貼装シート本体（１）に表示させておく。図示したものは格子状に９個のマスを図示し、その中央部は自分の駒が位置するものと仮定して矢印にて駒を動かす方向を図示した一例を示し、更にここでは駒の進め方をより明確にするため短い矢印と長い矢印を用いた一例を示し、短い矢印は一コマ限り、長い矢印は他の駒にぶつからない限り進む事が出来る旨を示した。
【００１２】
加えて図３のように飛車が敵の陣地に入り成駒（この場合は龍）と成った場合には、飛車は今までの縦横の動きに加えて王の動きも出来るようになるので、将棋の駒（２）の裏面にはその旨を表示させた貼装シート本体（１）を貼装させてやることとなる。
【００１３】
また矢印の図示の仕方も例示したものに限らず、仮令えば図４に示すように矢印のみを設けたもの、ここでは特に図示しないが矢印の替わりに語句を用いて動かし方を説明したもの、或いは図５で示すように漢字を読めない年代の幼児や初心者も漢字の意味を理解し、その駒の名称を覚えさせることが出来るよう矢印の表示に加えて駒の名称をひらがなで表示させてもよい。
【００１４】
また図６は漢字を理解しない外国人が将棋の習得を望む場合に備えて、ひらがなの表示に替わりにアルファベットを用いて表示させたものを示した一例図である。勿論これに限った訳ではなく、仮令えばカタカナや数字を用いた場合においても本発明の実施の範囲の範疇であることは言う間でもない。
【００１５】
そして貼装シート本体（１）の裏面には貼着剤を塗布し、該貼装シートはその裏面を将棋の駒の表裏面に貼装するようになす事で、本発明を実施する事ができるのである。またここでは貼装シート本体（１）は仮令えば動かし方を習得した場合においては貼装シート本体（１）を剥がして用いることから、必要に応じて該貼装シート本体（１）は着脱可能とする事が肝要であり、貼着剤もそれに見合ったものを取捨選択する必要がある。
【００１６】
このようにして他の駒についても本発明である貼装シート本体（１）を適宜既存の駒（２）に貼装させてやることで、将棋を始めたばかりの初心者や子供にとっては将棋の駒の正しい駒の進め方が解りやすくなるのである。勿論成り駒の場合も同様である。
【００１７】
【発明の効果】
以上説明したように、塩化ビニールシート等の基材を用いて将棋の駒の形に造形させた貼装シート本体であって、その表面には駒の進め方を示す図形ａｎｄ／ｏｒ該当する駒の名称を表示し、その裏面には貼着剤を塗布し、該貼装シートはその裏面を将棋の駒の表面に貼装するようになした事から、或いは将棋の構成する駒の内、王将，金将を除く全ての駒、即ち成駒と成りうる駒においてはその裏面にも該貼装シート本体を貼装するようになしたので、将棋を始めたばかりの初心者や子供にとっても全部で１６種類の駒の正しい進め方が簡単に覚えられたのである。
【００１８】
また本発明は既成の駒に貼装して用いることから特別な駒を用意する必要も無く、安価で経済的であり、加えて普段と同じ感触や手触りで将棋を指すことが出来たのである。また必要に応じて該貼装シートは着脱可能となした事から、動かし方を習得した場合において貼装シートを駒から剥がす事で、また既成の駒にとして用いることが出来たのである。
【図面の簡単な説明】
【図１】将棋の駒の動かし方を示した一例図
【図２】自陣にある時の駒の一実施例図
【図３】相手陣地に入って成り駒になった時の駒の一実施例図
【図４】本発明の他の実施例図１
【図５】本発明の他の実施例図２
【図６】本発明の他の実施例図３
【符号の説明】
１  貼装シート
２  駒
【図１】
2005021378.tif 000003
【図２】
2005021378.tif 000004
【図３】
2005021378.tif 000005
【図４】
2005021378.tif 000006
【図５】
2005021378.tif 000007
【図６】
2005021378.tif 000008